(57)【特許請求の範囲】
【請求項１】
下腹部の上に載せられた男性性器の陰茎に被せられ、紙おむつ，下着で抑込まれて使用されるものであって、男性性器の陰茎から陰嚢までを覆う大きさで楕円形に近似した形状の覆片と男性性器の陰茎のみを覆う大きさで半楕円形に近似した形状の接触片とが一部の縁辺を揃えられた接合によりマット状に形成され、覆片と接触片との間には三角状に折畳まれ男性性器の陰茎に被せられるシート状の尿吸収パットが角形となった先端部から挿入される幅広の袋部が設けられ、袋部を囲む覆片，接触片の内側面は尿の吸収を阻止する防水性を有し、接触片の外側面は綿布からなる男性用尿漏れ防止具。
【請求項２】
請求項１の男性用尿漏れ防止具において、覆片と接触片とは外側面となる厚地の綿布と内側面となる薄地の合成樹脂布とが積層されていることを特徴とする男性用尿漏れ防止具。
【請求項３】
請求項１または２の男性用尿漏れ防止具において、覆片，接触片はマット状の縁辺が曲線形に形成されていることを特徴とする男性用尿漏れ防止具。
【請求項４】
下腹部の上に載せられた男性性器の陰茎に被せられ、紙おむつ，下着で抑込まれて使用されるものであって、男性性器の陰茎から陰嚢までを覆う大きさで楕円形に近似した形状の覆片と男性性器の陰茎のみを覆う大きさで半楕円形に近似した形状の接触片とが一部の縁辺を揃えられた接合によりマット状に形成され、覆片と接触片との間には尿吸収パットで覆われた男性性器の陰茎が挿入される幅広の袋部が設けられ、袋部を囲む覆片，接触片の内側面は尿の吸収を阻止する防水性を有し、接触片の外側面は綿布からなる男性用尿漏れ防止具において、袋部に挿入，抜出しが可能な専用の前記尿吸収パットを備え、尿吸収パットの表面材の一部が帯片として切起こしまたは切外し可能であることを特徴とする男性用尿漏れ防止具、
【発明の詳細な説明】
【技術分野】
【０００１】  本発明は、おむつや下着への尿漏れの防止を男性向けに仕様した男性用尿漏れ防止具に係る技術分野に属する。
【背景技術】
【０００２】  現在、病気，高齢等により寝たきりとなった人については、ほとんどが使捨ての紙おむつを使用して寝具への排泄物の漏れを防止している。このため、頻繁に排泄される尿によって汚れた紙おむつの頻繁な交換によって、介護作業が煩雑になるとともに経済的負担が多大となっている。また、大量に廃棄される紙おむつによって、環境面での問題点も指摘されるようになってきている。【０００３】  最近、紙おむつの大量交換，大量消費を避けるために、尿の吸収のみを行う尿吸収パット（尿とりパット）が提供されている。この尿吸収パットは、小さなシート状等に形成されて紙おむつと同様の吸水構造を備え、紙おむつの内部で男性性器の陰茎に包まれるように装着されるもので、実質的に紙おむつを小型化，分離化するものである。この尿吸収パットは、尿のいわゆる横漏れにも有効であるとされているが、紙おむつで抑込んでいるにもかかわらず紙おむつの内部で男性性器の陰茎から脱落しやすいという傾向がある。【０００４】  また、寝たきりではない高齢者等の不用意な尿漏れを防止するためにも、紙おむつが使用されている。然しながら、腰周りの全体を包込む紙おむつを装着しての外出には抵抗感，違和感があるため、紙おむつに代えて尿吸収パットを使用することが考慮されるようになってきている。【０００５】  このため、尿吸収パットを男性性器の陰茎に確実に保持する技術の開発が要望されている。【０００６】  従来、尿吸収パットを男性性器の陰茎に確実に保持することを指向した技術としては、例えば、以下に記載のものが知られている。
【特許文献１】  特開２００６−２１８１４４号公報  特許文献１に係る技術には、腰に巻付けられる帯と、帯の背部側に固定され股間を介して帯の腹部側に着脱可能に固定されるカバーとを備えた男性用尿漏れ防止具が記載されている。【０００７】  特許文献１に係る男性用尿漏れ防止具は、Ｔ字帯のような構造を呈してカバーで尿吸収パットを抑込み、尿吸収パットを男性性器の陰茎に確実に保持するものである。
【発明の開示】
【発明が解決しようとする課題】
【０００８】  特許文献１に係る男性用尿漏れ防止具では、腰に帯を巻付けなければならないことと、肛門付近で紙おむつの内部にカバーが位置されることとから、紙おむつを使用する寝たきりとなった人については使用ができないという問題点がある。また、紙おむつを使用しない高齢者等が使用する場合にも、腰に帯を巻付けなければならないことから、窮屈であるとともにかぶれ，湿疹が発症するおそれがあるため、実用性が低いという問題点がある。【０００９】  本発明は、このような問題点を考慮してなされたもので、紙おむつの使用にかかわらず尿吸収パットを男性性器の陰茎に確実に保持することのできる実用性の高い男性用尿漏れ防止具を提供することを課題とする。
【課題を解決するための手段】
【００１０】  前述の課題を解決するため、本発明に係る男性用尿漏れ防止具は、特許請求の範囲の各請求項に記載の手段を採用する。【００１１】  即ち、請求項１では、下腹部の上に載せられた男性性器の陰茎に被せられ、紙おむつ，下着で抑込まれて使用されるものであって、男性性器の陰茎から陰嚢までを覆う大きさで楕円形に近似した形状の覆片と男性性器の陰茎のみを覆う大きさで半楕円形に近似した形状の接触片とが一部の縁辺を揃えられた接合によりマット状に形成され、覆片と接触片との間には三角状に折畳まれ男性性器の陰茎に被せられるシート状の尿吸収パットが角形となった先端部から挿入される幅広の袋部が設けられ、袋部を囲む覆片，接触片の内側面は尿の吸収を阻止する防水性を有し、接触片の外側面は綿布からなっている。【００１２】  この手段では、尿吸収パットで覆われた男性性器の陰茎が下腹部側に載せられて袋部に挿入されることで、覆片が男性性器の陰茎から陰嚢までを覆ってしまい、窮屈感を与えることなく全体が紙おむつ，下着で抑込まれ尿吸収パットが袋部で抑込まれるとともに、下腹部に接触片の良好な肌接触性の外側面が当接されかぶれ，湿疹の発症が防止される。【００１３】  また、請求項２では、請求項１の男性用尿漏れ防止具において、覆片と接触片とは外側面となる厚地の綿布と内側面となる薄地の合成樹脂布とが積層されていることを特徴とする。【００１４】  この手段では、覆片，接触片が異材質の容易に入手が可能な２枚の布の積層で形成されることで、製造が容易であるとともに洗浄も容易となる。【００１５】  即ち、請求項３では、請求項１または２の男性用尿漏れ防止具において、覆片，接触片はマット状の縁辺が曲線形に形成されていることを特徴とする。【００１６】  この手段では、覆片，接触片のマット状の縁辺が曲線形とされることで、使用者の体への無用の刺激を回避することができる。【００１７】  また、請求項４では、下腹部の上に載せられた男性性器の陰茎に被せられ、紙おむつ，下着で抑込まれて使用されるものであって、男性性器の陰茎から陰嚢までを覆う大きさで楕円形に近似した形状の覆片と男性性器の陰茎のみを覆う大きさで半楕円形に近似した形状の接触片とが一部の縁辺を揃えられた接合によりマット状に形成され、覆片と接触片との間には尿吸収パットで覆われた男性性器の陰茎が挿入される幅広の袋部が設けられ、袋部を囲む覆片，接触片の内側面は尿の吸収を阻止する防水性を有し、接触片の外側面は綿布からなる男性用尿漏れ防止具において、袋部に挿入，抜出しが可能な専用の前記尿吸収パットを備え、尿吸収パットの表面材の一部が帯片として切起こしまたは切外し可能であることを特徴とする。【００１８】  この手段では、専用の尿吸収パットから得られる帯片を男性性器の陰茎の根本部分に巻付けることで、帯片が尿吸収パットの脱落を防止する抜止めとなる。
【発明の効果】
【００１９】  本発明に係る男性用尿漏れ防止具は、尿吸収パットで覆われた男性性器の陰茎が下腹部側に載せられて袋部に挿入されることで、覆片が男性性器の陰茎から陰嚢までを覆ってしまい、窮屈感を与えることなく全体が紙おむつ，下着で抑込まれ尿吸収パットが袋部で抑込まれるとともに、下腹部に接触片の良好な肌接触性の外側面が当接されかぶれ，湿疹の発症が防止されるため、紙おむつの使用にかかわらず尿吸収パットを男性性器の陰茎に確実に保持することができて実用性も高い効果がある。【００２０】  また、請求項２として、覆片，接触片が異材質の容易に入手が可能な２枚の布の積層で形成されることで、製造が容易であるとともに洗浄も容易となるため、安価に製造することができ洗浄により繰返し使用が可能になる効果がある。【００２１】  また、請求項３として、覆片，接触片のマット状の縁辺が曲線形とされることで、使用者の体への無用の刺激を回避することができるため、装着感が良好になる効果がある。【００２２】  また、請求項４として、専用の尿吸収パットから得られる帯片を男性性器の陰茎の根本部分に巻付けることで、帯片が尿吸収パットの脱落を防止する抜止めとなるため、尿吸収パットを男性性器の陰茎により確実に保持することができる効果がある。
【発明を実施するための最良の形態】
【００２３】  以下、本発明に係る男性用尿漏れ防止具を実施するための最良の形態を図面に基づいて説明する。【００２４】  図１〜図８は、本発明に係る男性用尿漏れ防止具を実施するための最良の形態の第１例を示すものである。【００２５】  第１例では、楕円形に近似した形状のマット状に形成されたものを示してある。【００２６】  第１例は、覆片１，接触片２，袋部３を主要部として構成されている。【００２７】  覆片１は、男性性器Ｂの陰茎Ｂａから陰嚢Ｂｂまでを覆う楕円形に近似した形状の外側面１１，内側面１２となる２枚の布の積層からなる。外側面１１は、相対的に厚地の綿布からなる。内側面１２は、相対的に薄地の尿の吸収を阻止する防水性を有する合成樹脂布からなる。【００２８】  接触片２は、男性性器のＢの陰茎Ｂａのみを覆う半楕円形に近似した形状（覆片１の約半分の大きさ）の外側面２１，内側面２２となる２枚の布の積層からなる。外側面２１は、相対的に厚地の使用者Ｍの下腹部Ｍａへの接触が良好な肌接触性（必要以上に密着せずしかも吸汗能力がある）を有する綿布からなる。内側面２２は、相対的に薄地の尿の吸収を阻止する防水性を有する合成樹脂布からなる。【００２９】  覆片１，接触片２は、図３に示すように、内側面１１，２１が接合され、一部の縁辺が揃えられて共通の縁布４で縁取りされて縫糸５で縫着され、他の一部の揃えられなかった縁辺がそれぞれ縁布４で縁取りされて縫糸５で縫着されている。従って、揃えられた縁辺では、覆片１の外側面１１，内側面１２と接触片２の外側面２１，内側面２２との４枚が縫着されている。また、揃えられていない縁辺では、覆片１の外側面１１，内側面１２と接触片２の外側面２１，内側面２２とがそれぞれ２枚が縫着されている。即ち、覆片１の外側面１１，内側面１２と接触片２の外側面２１，内側面２２とは、それぞれ全面で接着されているわけではない。【００３０】  袋部３は、前述の覆片１，接触片２の接合，縫着の結果として、覆片１と接触片２との間に尿吸収パットＰで覆われた男性性器Ｂの陰茎Ｂａが挿入される幅広の空間として形成されている。揃えられなかった接触片２の縁辺は、袋部３の開口６となっている。【００３１】  第１例は、覆片１，接触片２が異材質の容易に入手が可能な２枚の布の積層で形成され製造が容易であるため、安価に製造することができる。また、覆片１，接触片２の外側面１１，２１，内側面１２，２２が全面で接着されていないため、綿布である外側面１１，２１に洗浄水を有効に透過させて洗浄効果を高めることができるため、洗浄により長期にわたり繰返し使用が可能になる。【００３２】  第１例を使用するには、図４に示すように、使用準備作業が必要になる。即ち、図４（Ａ）に示すように、シート状の尿吸収パットＰを用意する。そして、図４（Ｂ）に示すように、尿吸収パットＰを三角状（漏斗形）に折畳む。さらに、折畳んだ尿吸収パットＰを角形となった先端部から開口６を通過させて袋部３に挿入する。【００３３】  第１例を寝たきりの人からなる使用者Ｍに使用するには、図５に示すように、腰部Ｍｂの下に紙おむつＤを敷いておき、男性性器Ｂの陰茎Ｂａを下腹部Ｍａの上に載せ、男性性器Ｂの陰茎Ｂａの根本部分にティッシュ��ーパＴを巻付ける。そして、図６に示すように、袋部３に挿入されている尿吸収パットＰを男性性器Ｂの陰茎Ｂａに被せる。このとき、袋部３が幅広で尿吸収パットＰが三角状になっているため、男性性器Ｂの陰茎Ｂａを無理に曲げたりせずに容易に被せることができる。この後、図７に示すように、覆片１が男性性器Ｂの陰嚢Ｂｂまで覆っていることを確認して紙おむつＤを閉じることになる。【００３４】  図７に示す装着状態では、図８に示すように、覆片１が男性性器Ｂの陰茎Ｂａから陰嚢Ｂｂまで覆って紙おむつＤに抑込まれているため、紙おむつＤの内部で全体にずれが生ずることがない。特に、覆片１の外側面１１が綿布で平滑な樹脂シート等でなく、覆片１の外側面１１と紙おむつＤとの間に適度の摩擦が生じるため、紙おむつＤの内部での全体のずれが確実に防止される。この結果、尿吸収パットＰを男性性器Ｂの陰茎Ｂａに確実に保持されることになる。なお、ティッシュペーパＴは、男性性器Ｂの陰茎Ｂａの根本部分でとの間で適度の摩擦を生じさせ、尿吸収パットＰの抜止めとして機能する。【００３５】  さらに、図８に示すように、接触辺２の綿布である良好な肌接触性を有する外側面２１が当接しているため、使用者Ｍの下腹部Ｍａ付近にかぶれ，湿疹を発症させるようなことはない。【００３６】  なお、排尿については、尿吸収パットＰに吸収されるが、仮に滲出したとしても覆片１，接触片２の内側面１２，２２でバリアされて外部に漏出することはない。なお、ティッシュペーパＴは、男性性器Ｂの陰茎Ｂａにそって流出する排尿の吸収材としても機能する。【００３７】  図９は、本発明に係る男性用尿漏れ防止具を実施するための最良の形態の第２例を示すものである。【００３８】  第２例は、尿吸収パットＰとして袋部３に対応した形状に整形された専用のものを使用する。【００３９】  第２例の尿吸収パットＰは、袋部３に挿入されて男性性器Ｂの陰茎Ｂａの根本部分に位置する箇所にミシン目等により表面材Ｐａの一部が帯片Ｐｂとして切起こしまたは切外し可能に構成されている。【００４０】  第２例によると、尿吸収パットＰの帯片Ｐｂを第１例のティッシュペーパＴの代用とすることができる。【００４１】  以上、図示し各例の外に、紙おむつＧではなくても、例えばブリーフタイプ等の下着であれば、男性性器Ｂの陰茎Ｂａから陰嚢Ｂｂまで覆っている覆片１を抑込むことができるため、寝たきりではない高齢者等が外出等の際に装着して不用意な尿漏れを防止することもできる。必要であれば、市販の両面テープを使用して、下着と覆片１の外側面１１とを接着することも考えられる。
【図面の簡単な説明】
【００４２】
【図１】  本発明に係る男性用尿漏れ防止具を実施するための最良の形態の第１例の斜視図である。
【図２】  図１の反対側面からの斜視図である。
【図３】  図１の一部を省略した拡大縦断面図である。
【図４】  図１の使用準備作業を示すものであり、（Ａ）〜（Ｃ）に準備作業順が示されている。
【図５】  図１の使用例の平面図である。
【図６】  図５の使用例における後続の装着作業図である。
【図７】  図６に後続する装着作業図である。
【図８】  図６の要部の簡略化した拡大断面図である。
【図９】  本発明に係る男性用尿漏れ防止具を実施するための最良の形態の第２例の斜視図である。
【符号の説明】
【００４３】  １            覆片
１１          外側面
１２          内側面
２            接触片
２１          外側面
２２          内側面
３            袋部
Ｂ            男性性器
Ｂａ          陰茎
Ｂｂ          陰嚢
Ｍ            使用者
Ｍａ          下腹部
【図１】
0004940487.tif 000002
【図２】
0004940487.tif 000003
【図３】
0004940487.tif 000004
【図４】
0004940487.tif 000005
【図５】
0004940487.tif 000006
【図６】
0004940487.tif 000007
【図７】
0004940487.tif 000008
【図８】
0004940487.tif 000009
【図９】
0004940487.tif 000010